(57)【特許請求の範囲】
【請求項１】
支持体上に色素層を有する熱転写供与材料であって、該色素層が下記一般式（Ｉ）
0003637668.tif 000027
（式中、Ｄは色素母体残基を表し、Ａは単結合または２価の連結基を表し、Ｘは塩素原子またはフッ素原子を表し、Ｒは−Ｏ（ＣmＨ2mＯ）n−Ｒ1，−ＳＲ1、または−Ｎ（Ｒ1）2
（ｍは２または３の整数を示し、ｎは０または１を示し、Ｒ1は、炭素数２〜８のアルキ
ル基を示す。）を表す。）で示される色素を含有することを特徴とする熱転写供与材料。
【請求項２】
色素がアゾ系、アントラキノン系、キノフタロン系、アゾメチン系、メチン系およびナフトキノン系からなる群から選ばれる化合物であることを特徴とする請求項１に記載の熱転写供与材料。
【請求項３】
一般式（Ｉ）においてＡが酸素原子であることを特徴とする請求項１又は２に記載の熱転写供与材料。
【請求項４】
一般式（Ｉ）においてＲが−Ｎ（Ｒ1）2であることを特徴とする請求項１ないし３のいずれかに記載の熱転写供与材料。
【請求項５】
支持体上に活性水素化合物を含む受像層を設けた受像材料と組合せて用いるためのものであることを特徴とする請求項１ないし４のいずれかに記載の熱転写供与材料。
【請求項６】
下記一般式（Ｉ）で示される熱転写記録用色素。
0003637668.tif 000028
（式中、Ｄは色素母体残基を表し、Ａは単結合または２価の連結基を表し、Ｘは塩素原子
またはフッ素原子を表し、Ｒは−Ｏ（ＣmＨ2mＯ）n−Ｒ1，−ＳＲ1または−Ｎ（Ｒ1）2（ｍは、２または３の整数を示し、ｎは０または１を示し、Ｒ1は、炭素数２〜８のアルキ
ル基を示す。）を表す。）
【請求項７】
色素が、アゾ系、アントラキノン系、キノフタロン系、アゾメチン系、メチン系、およびナフトキノン系からなる群から選ばれる化合物であることを特徴とする請求項６に記載の熱転写記録用色素。
【発明の詳細な説明】
【０００１】
【発明の属する技術分野】
本発明は、熱転写供与材料と受像材料からなる熱転写材料に関するものである。
【０００２】
【従来の技術】
従来、ファクシミリ、複写機あるいはプリンターなどに用いられる記録方式として、電子写真方式、インクジェット方式、感熱転写方式などによるカラー記録技術が検討されている。感熱転写記録方式では、装置の保守や、操作が容易で、装置や消耗品が安価であるため、他の方式に比べ有利な点が多い。
感熱転写方式には、ベースフィルム上に熱溶融性インキ層を形成させた転写シートを、熱ヘッドにより加熱して、該インキを溶融し、受像層上に転写記録する溶融転写方式と、ベースフィルム上に熱移行性色素を含有する色材層を形成させた熱転写色素供与材料を熱ヘッドにより加熱して色素を熱転写受像材料上に転写させる熱移行転写方式とがあるが、熱移行転写方式は熱ヘッドに与えるエネルギーを変えることにより色素の移行量を制御することができるので、階調記録が容易になり、高精細、かつ高画質のフルカラー記録には特に容易である。
【０００３】
熱移行転写方式で使用する色素は、加える熱エネルギーを小さくするため、また転写記録速度を上げるため、できるだけ熱移行しやすい色素が望ましいが、熱移行しやすい色素は熱転写後、受像層中で移動して、画像の先鋭度が低下したり、接触物に移行して汚染を生ずることから、熱転写後の記録安定性に問題があること、また熱転写色素供与材料の保存中、色素が結晶化して、それを使用して熱移行転写すると画像がムラになり、高画質の画像が得られない、あるいは、熱移行転写後、受像層中で色素が結晶化して画像にムラが生じる等の問題があり、これらを満足する方法が望まれていた。
これらの問題を解決するため種々の方法が検討されている。例えば、特開平５−１１２０８０号公報および特開平５−２０１１４８号公報が提案されているように、色材層中あるいは、熱移行転写後の受像紙中での色素の保存安定性、転写濃度等において更に改善が望まれている。
【０００４】
【発明が解決しようとする課題】
本発明は上記の問題点を克服した熱転写供与材料、およびこの熱転写供与材料を活性水素化合物を含む受像層を有する受像材料とを組合わせた熱転写材料を提供することを目的とするものである。
【０００５】
【課題を解決するための手段】
本発明の要旨は、支持体上に色素層を有する熱転写供与材料であって、該色素層が下記一般式（Ｉ）
【０００６】
【化２】
0003637668.tif 000002
【０００７】
（式中、Ｄは色素母体残基を表し、Ａは単結合または２価の連結基を表し、Ｘは塩素原子または、フッ素原子を表し、Ｒは、−Ｏ（Ｃm Ｈ2mＯ）n −Ｒ1 、−ＳＲ1 または、−Ｎ（Ｒ1 ）2 （ｍは、２または３の整数を示し、ｎは０または１を示し、Ｒ1 は、炭素数２〜８のアルキル基を表す。）で示される色素を含有するとする熱転写供与材料、およびこれと受像材料とを組合わせた熱転写材料に存する。
【０００８】
以下、本発明を詳細に説明する。
本発明に使用される色素母体残基Ｄは、特に制限はなく、例えば、アゾ系、アントラキノン系、キノフタロン系、アゾメチン系、メチン系、ナフトキノン系化合物等が挙げられる。
Ｄで示されるアゾ系化合物としては、例えば、下記一般式（IIＡ）で示される化合物が挙げられる。
【０００９】
【化３】
0003637668.tif 000003
【００１０】
環Ａは、ベンゼン環、チアゾール環、ピラゾール環、イミダゾール環、チアジアゾール環、ピラゾール環、ピリドン環を示し、置換基を有していても良い。環Ｂはベンゼン環またはナフタレン環を示し、置換基を有していても良い。環Ａまたは環Ｂのいずれかが、前記一般式（Ｉ）における置換基
【００１１】
【化４】
0003637668.tif 000004
【００１２】
を含有する置換基で置換されている。
環Ａの置換基としては、アミノ基、シアノ基、ヒドロキシ基、ニトロ基、ハロゲン原子、トリフルオロメチル基、夫々炭素数１〜８程度の置換基を有していても良いアルキル基、アルキルアミノ基、ジアルキルアミノ基、アルコキシカルボニル基、アリールオキシカルボニル基、アルキルアミノカルボニル基、ジアルキルアミノカルボニル基等が挙げられ、環Ｂの置換基としては、アミノ基、夫々置換基を有していても良いアシルアミノ基、炭素数１〜８程度のアルキルアミノ基、ジアルキルアミノ基、アルコキシ基、あるいはアルキル基等が挙げられる。
【００１３】
更に、好ましくは、環Ａが置換基を有していても良いベンゼン環、チアゾール環、イミダゾール環、あるいはチアジアゾール環で環Ｂが置換基を有していても良いジアルキルアミノ基で置換されたベンゼン環の組合わせの化合物、環Ａが置換基を有していても良いピラゾール環またはピリドン環で、環Ｂがジアルキルアミノ基で置換されていないベンゼン環の組合わせの化合物が挙げられる。
Ｄで示されるアントラキノン系色素としては、例えば下記の一般式（IIＢ1 ）あるいは（IIＢ2 ）で示される化合物が挙げられる。
【００１４】
【化５】
0003637668.tif 000005
【００１５】
環ＣおよびＤは、アミノ基、ヒドロキシ基、ハロゲン原子、フェノキシ基、炭素数１〜８程度のアルキルアミノ基、ジアルキルアミノ基、アルコキシカルボニル基、アリールオキシカルボニル基、アルキルアミノカルボニル基、ジアルキルアミノカルボニル基、アリールアミノカルボニル基、アリールチオ基、アリールアミノ基、アリール基等で置換されていても良く、これらの置換基は置換基を有していても良く、環Ｃまたは環Ｄのいずれか、または置換基Ｒ2 が、前記一般式（Ｉ）における置換基
【００１６】
【化６】
0003637668.tif 000006
【００１７】
を含有する置換基で置換されている。
Ｄで示されるキノフタロン系色素としては、例えば下記の一般式（IIＣ）で示される化合物が挙げられる。
【００１８】
【化７】
0003637668.tif 000007
【００１９】
環Ｅ、環Ｆまたは環Ｇは、アミノ基、ハロゲン原子、ヒドロキシ基、夫々炭素数１〜８程度のアルキル基、アルコキシ基、アルキルアミノ基、ジアルキルアミノ基、アシルオキシ基、アシルアミノ基、アルコキシカルボニル基、アルキルアミノカルボニル基等で置換されていても良く、更に、これらの置換基は置換基を有していても良く、環Ｅ、環Ｆまたは環Ｇのいずれかが、前記一般式（Ｉ）における置換基
【００２０】
【化８】
0003637668.tif 000008
【００２１】
を含有する置換基で置換されている。
Ｄで示されるアゾメチン系色素としては、例えば下記の一般式（IIＤ）で示される化合物が挙げられる。
【００２２】
【化９】
0003637668.tif 000009
【００２３】
環Ｈは、置換基を有していてもよい窒素原子を１〜３個有するヘテロ環と縮合していても良い窒素原子を１〜３個有する５〜６員のヘテロ環、イオウ原子を１個有する５〜６員のヘテロ環、置換基を有していても良いインダン環、置換基を有していても良いベンゾキノン環または、ナフトキノン環を示し、環Ｉは置換基を有していても良いベンゼン環を示し、環Ｈまたは環Ｉのいずれかが、前記一般式（Ｉ）における置換基
【００２４】
【化１０】
0003637668.tif 000010
【００２５】
を含有する置換基で置換されている。
更に、具体的には、環Ｈの置換基としては、ハロゲン原子、置換基を有していても良い炭素数１〜８程度のアルキル基、アシルアミノ基、アルコキシカルボニルアミノ基、アリールオキシカルボニル基、アルキルアミノカルボニル基、アリールアミノカルボニル基、ジアルキルアミノカルボニル基が好ましく、環Ｉの置換基としては、ヒドロキシ基、炭素数１〜８程度のヒドロキシ基のテトラアルキルアンモニウム塩、置換基を有していてもよい炭素数１〜８程度のジアルキルアミノ基が好ましい。環Ｈと環Ｉの組合わせとしては、環Ｈが置換基を有していても良いアシルアミノ基またはアルコキシカルボニルアミノ基を有するベンゾキノン環、または、置換基を有していても良いアルキルアミノカルボニル基またはジアルキルアミノカルボニル基で置換されたナフトキノン環で環Ｉがヒドロキシ基、ヒドロキシ基のテトラアルキルアンモニウム塩、置換基を有していてもよいジアルキルアミノ基を有するベンゼン環の組合わせが好ましい。
Ｄで示されるメチン系色素としては、例えば下記の一般式（IIＥ1 ）〜（IIＥ3 ）で示される化合物が挙げられる。
【００２６】
【化１１】
0003637668.tif 000011
【００２７】
環Ｊは、アミノ基、ヒドロキシ基、夫々炭素数１〜８程度のジアルキルアミノ基、アルキル基、アルコキシ基、アシルアミノ基等で置換されていても良く、更に、これらの置換基は置換基を有していても良く、Ｘは、＝Ｏ、＝Ｃ（ＣＮ）2 、−Ｓ−または、−ＳＯ2 −を示し、環Ｎは、前記一般式（Ｉ）における置換基
【００２８】
【化１２】
0003637668.tif 000012
【００２９】
を含有する置換基で置換されている。
Ｄで示されるナフトキノン系色素としては、例えば下記の一般式（IIＦ）で示される化合物が挙げられる。
【００３０】
【化１３】
0003637668.tif 000013
【００３１】
環Ｋおよび環Ｌは、アミノ基、炭素数１〜８程度のアルキルアミノ基またはアリールアミノ基で置換されていても良く、これらの置換基は、置換基を有していても良く、環Ｇまたは環Ｈのいずれかが、前記一般式（Ｉ）における置換基
【００３２】
【化１４】
0003637668.tif 000014
【００３３】
を含有する置換基で置換されている。
一般式（Ｉ）における連結基Ａは単結合または２価の連結基を表すが、２価の連結基の具体例としては、−ＮＨ−、−Ｏ−、−Ｓ−、−ＮＲ3 Ｃ2 Ｈ4 Ｏ−、−ＮＲ3 Ｃ2 Ｈ4 ＮＨ−、−ＮＲ3 Ｃ3 Ｈ6 Ｏ−、−ＮＲ3 Ｃ3 Ｈ6 ＮＨ−、ＮＲ3 ＣＯＣＨ2 ＮＨ−、−ＮＲ3 ＣＯＣＨ2 Ｏ−、−ＮＨＣ6 Ｈ4 ＮＨ−、−ＯＣ6 Ｈ4 Ｏ−、−ＳＣ6 Ｈ4 Ｏ−、−ＳＣ6 Ｈ4 ＮＨ−、−ＯＣ6 Ｈ4 Ｓ−、−ＮＨＣ6 Ｈ4 Ｓ−、−ＮＨＣ6 Ｈ4 Ｏ−、−ＯＣ6 Ｈ4 ＮＨ−、−Ｃ6 Ｈ4 ＮＨ−、−Ｃ6 Ｈ4 Ｏ−、−ＣＯＮＨＣ6 Ｈ4 Ｏ−、−ＣＯＮＨＣ6 Ｈ4 ＮＨ−、−ＣＯＯＣ6 Ｈ4 Ｏ−、−ＣＯＯＣ6 Ｈ4 ＮＨ−、−ＣＯＮＨＣ2 Ｈ4 Ｏ−、−ＣＯＮＨＣ2 Ｈ4 ＮＨ−、−ＣＯＯＣ2 Ｈ4 Ｏ−、−ＣＯＯＣ2 Ｈ4 ＮＨ−、−ＮＨＣＯＣ6 Ｈ4 Ｏ−、−ＮＨＣＯＣ6 Ｈ4 ＮＨ−、−Ｃ2 Ｈ4 Ｏ−、−Ｃ3 Ｈ6 Ｏ−、−Ｃ2 Ｈ4 ＮＨ−、−Ｃ3 Ｈ6 ＮＨ−、−ＳＯ2 ＮＨＣ2 Ｈ4 Ｏ−、−ＳＯ2 ＮＨＣ2 Ｈ4 ＮＨ−、−ＯＣＯ2 Ｃ2 Ｈ4 ＮＨ−、−ＯＣＯ2 Ｃ2 Ｈ4 Ｏ−、−ＮＨＣＯ2 Ｃ2 Ｈ4 Ｏ−、−ＮＨＣＯ2 Ｃ2 Ｈ4 ＮＨ−、−ＯＣＯＮＨＣ2 Ｈ4 ＮＨ−、−ＯＣＯＮＨＣ2 Ｈ4 Ｏ−、−ＮＨＣＯＮＨＣ2 Ｈ4 Ｏ−、−ＮＨＣＯＮＨＣ2 Ｈ4 ＮＨ−、−ＮＨＣＯＮＨ−（Ｒ3 は、水素原子または、炭素数１〜８のアルキル基を示す。）等を挙げることが出来る。
【００３４】
本発明で使用される色素としては、例えば、特開昭５３−１３９８８４号、特開昭５４−６１２３０号、特開昭５４−６８８３５号、特開昭５４−７３９８８号、特開昭５７−１９００５２号、特開昭６０−１１２８６１号、特開昭６０−１７３０６１号公報等に記載の色素を用いることが出来、具体例としては、以下に例示の色素を挙げることが出来るが、これらにより、本発明が特に限定されるものではない。
【００３５】
【化１５】
0003637668.tif 000015
【００３６】
【化１６】
0003637668.tif 000016
【００３７】
【化１７】
0003637668.tif 000017
【００３８】
【化１８】
0003637668.tif 000018
【００３９】
【化１９】
0003637668.tif 000019
【００４０】
【化２０】
0003637668.tif 000020
【００４１】
【化２１】
0003637668.tif 000021
【００４２】
【化２２】
0003637668.tif 000022
【００４３】
【化２３】
0003637668.tif 000023
【００４４】
【化２４】
0003637668.tif 000024
【００４５】
本発明の熱移行性色素は、通常、該色素をバインダー樹脂と共に、媒体中に溶解あるいは微粒子状に分散させることによりインキを調製し、該インキを支持体上に塗布、乾燥することにより、支持体上に色素供与層が形成された熱転写供与材料を得、熱転写方式の画像形成に使用する。
本発明の熱転写方式による画像形成方法でフルカラーの画像を形成するには、イエロー、マゼンタ、シアンの３色の色素を使用する。各々の色素は同一の２種以上の本発明色素または、本発明の色素と公知の色素を混合して使用しても良い。３種の色素はシート状または、ロール状の支持体上に各々独立な領域を形成する様に配置される。例えば、イエロー領域、マゼンタ領域、シアン領域を面順次で配置する。
【００４６】
支持体としては、コンデンサー紙、グラシン紙のごとき薄葉紙、ポリエステル、ポリカーボネート、ポリアミド、ポリイミド、ポリアラミドのような耐熱性の良好なプラスチックフィルムが適している。それらの厚さとしては３〜５０μｍの範囲を挙げることが出来る。
上記のベースフィルムのうち、ポリエチレンテレフタレートフィルムが機械的強度、耐溶剤性、経済性などを考慮すると有利である。また場合によっては、ポリエチレンテレフタレートフィルムの耐熱性、サーマルヘッドの走行性等を改良するために色素供与層の反対面に、界面活性剤、滑性の高い耐熱性粒子などを設けてもよい。
【００４７】
上記のインキ調製の為のバインダー樹脂としては、熱転写記録時に受像層との熱融着を防ぐ為、耐熱性の良好なものを用いるが、特に軟化点または熱変形温度が１０℃以上のものが好ましい。具体的には、セルロース系、アクリル酸系、デンプン系等の水溶性樹脂、アクリル樹脂、メタクリル樹脂、ポリスチレン、ポリカーボネート、ポリスルホン、ＡＳ樹脂、ポリエーテルスルフォン、ポリビニルブチラール、ポリエステル、エチルセルロース、アセチルセルロース、ポリアミド、尿素樹脂等の有機溶剤あるいは水に可溶の樹脂等が挙げることが出来る。これらの樹脂は色素１００重量部に対して、２０〜５００部の割合で使用するのが好ましい。
【００４８】
インキ調製の為の溶媒としては、水、メチルアルコール、イソプロピルアルコール、イソブチルアルコール等のアルコール類、メチルセルソルブ、エチルセルソルブ等のセルソルブ類、トルエン、キシレン、クロルベンゼン等の芳香族類、酢酸エチル、酢酸ブチル等のエステル類、アセトン、メチルエチルケトン、メチルイソブチルケトン等のケトン類、塩化メチレン、クロロホルム、トリクロルエチレン等の塩素系溶剤、テトラヒドロフラン、ジオキサン等のエーテル類、Ｎ，Ｎ−ジメチルホルアミド、Ｎ−メチルピロリドン等のアミド類等の有機溶剤を挙げることが出来る。これらは、単独または混合して使用する。
【００４９】
インキをベースフィルム上に塗布する方法としては、リバースロールコーター、グラビアコーター、ロッドコーター、エアドクターコーター等を使用することが出来、インキを塗布乾燥して形成される色素供与層の厚さは、０．１〜５μｍの範囲が好ましい。
上記のインキ中には、上記の成分の他に、熱転写供与材料と受像材料との離型性を向上させる為に離型剤を含有させることが出来る。また、色素層上に離型層を塗布するなどして形成させることもできるが、色移り特性等本発明の効果をより有効に達成するためにはインキ中に含有させることがより好ましい。離型剤としては、ポリエチレンワックス、フッ素系化合物、シリコーン系化合物等いずれの離型剤でも使用出来るが、このうちシリコーン系化合物が好ましい。シリコーン化合物としては、カルボキシ変性、アミノ変性または、エポキシ変性シリコーンオイルまたは樹脂を挙げることが出来る。例えば、信越化学工業（株）製のＸ−２２−３７１０、ＫＦ−３９３、ＫＦ−１０５等が有効である。
また、フェノール系、ハイドロキノン系、ヒンダードアミン系等の酸化防止剤、ベンゾトリアゾール系、ベンゾフェノン系、チアゾリドン系等の紫外線吸収剤を添加して使用しても良い。また、塗布性改良、剥離性改良、帯電防止改良の目的で公知の界面活性剤、特に好ましくは、フッ素系界面活性剤を添加して使用出来る。
【００５０】
本発明の熱転写供与材料と組合わせて使用する受像材料は、支持体上に受像層を有する。該受容層はバインダー樹脂、該樹脂に色素を受容しうる化合物を添加したものである。
受容層に使用するバインダー樹脂としては、前記のインキ調製に使用するバインダー樹脂が挙げられ、該樹脂に添加する色素を受容しうる物質としては、特開昭６２−１７４７５４号公報等に記載されている高沸点有機溶剤を挙げることが出来る。受容層の厚さは０．２〜４０μｍが好ましく、特に、１〜１５μｍが好ましい。
【００５１】
支持体としては、合成紙（ポリオレフィン、ポリスチレン系など）、上質紙、アート紙、コート紙や、ポリエチレン、ポリプロピレン、ポリエステル（ポリエチレンテレフタレート等）、ポリカーボネート、ポリアミド製のフィルム等や、これらの積層体を使用できる。
また、受像層中に、水、あるいは、ヒドロキシル基、メルカプト基、カルボキシル基、スルフォン酸基、スルフィン酸基、アミノ基、アミド基、ヒドラジノ基、ヒドラジド基等の官能基を有する活性水素化合物を添加することにより、接触物への色移り性、画像の先鋭度等のより良好な熱転写画像が得られる。
【００５２】
即ち、受像層中に例えば水分があり、≡Ｃ−Ｘ結合が加水分解されると、極性基≡Ｃ−ＯＨが生成して、色素が受像層中で動き難くなるか、その他の切断を容易にさせる物質の場合、例えば、ヒドロキシル基Ｒ−ＯＨ（Ｒは例えば、アルキル基、アリール基または複素環基を示す。）がＣ≡Ｃ−Ｘ結合と反応して、≡Ｃ−ＯＲ結合を生成し、受像層中に固定化されるものと推定される。
【００５３】
受像層中に含有される前記の官能基を有する活性水素化合物としては、以下の様な公知の低分子または、高分子の化合物が挙げられるがこれらの塗布量は０．０１〜３０ｇ／ｍ2 が好ましく、さらに好ましくは０．１〜５ｇ／ｍ2 である。
４−ヒドロキシアセトアニリド、４′−ヒドロキシアセトフェノン、４−ヒドロキシベンズアミド、４−ヒドロキシ安息香酸ベンジルエステル、４−ヒドロキシベンゾフェノン、４−オクチルオキシフェノール、２−ヒドロキシ−３−メトキシベンズアルデヒド、２−ヒドロキシ−１−ナフトアルデヒド、２−ヒドロキシ−２−フェニルベンゾフェノン、４′−ヒドロキシプロピオフェノン、２′，４′−ジヒドロキシアセトフェノン、２′，４′−ジヒドロキシベンズアルデヒド、３，４−ジヒドロキシ安息香酸エチルエステル、２，２−ビス（４−ヒドロキシフェニル）プロパン、２，３，４−トリヒドロキシベンゾフェノン、２，２′，４，４′−テトラヒドロベンゾフェノン、Ｎ−ヒドロキシフタルイミド、Ｎ−ヒドロキシスクシニミド、３−ヒドロキシピリジン等一個あるいは複数個ヒドロキシ基を有する化合物、テトラヒドロキシ化合物、４−アミノ−１−ベンジルピペリジン、アミノカプロラクタム、１−アミノドデカン、４′，４′−メチレンビス（シクロヘキシルアミン）、ピペラジン、ステアリルアミン、３−ラウリルオキシプロピルアミン、１，３−ジ−（４−ピペリジル）−プロパン、ジエチレントリアミン、１，１０−ジアミノデカン、３，３′−ジアミノジプロピルアミン、２，４，６−トリアミノ−１，３，５−トリアジン、２，４，６−トリアミノトリアジン等の一個あるいは、複数のアミノ基を有する化合物、２−メルカプトベンゾイミダゾール、２−メルカプトベンゾチアゾール、２−メルカプトベンゾキサゾール、２−メルカプトピリジン、２−メルカプトチアゾリン等のメルカプト基を有する化合物、ベンゼンスルフォン酸、ｐ−トルエンスルフォン酸等のスルフォン酸基を有する化合物またはそのナトリウム、カリウム等の金属塩、ベンゼンスルフィン酸、トルエンスルフィン酸等のスルフィン酸基を有する化合物またはそのナトリウム、カリウム等の金属塩、ｎ−カプロナミド、ｎ−デカナミド、ステアラミド、ｐ−トルエンスルフォナミド、シス−１，３−ドコセナミド、ベンズアミド等のアミド基を有する化合物、２，４，６−トリクロロフェニルヒドラジン、フェニルヒドラジン等のヒドラジノ基を有する化合物、ステアリックヒドラジド、ｐ−トルエンスルフォニルヒドラジド、ベンゾイックヒドラジド等のヒドラジド基を有する化合物等、塩酢ビ樹脂あるいはエチレン−酢ビ樹脂のエステル基を少なくとも一部加水分解して得られる重合体、活性水素基を有するポリ（ｐ−ヒドロキシスチレン）、ポリ（ｐ−アミノスチレン）、ポリエチレンイミン等の高分子化合物が挙げられ、商品としては、日本触媒化学工業（株）製のエポミン、三共（株）製のＡＥＡ等が挙げられる。
【００５４】
受像材料は、支持体と受像層の間にクッション層、接着層、色素の拡散防止層の機能を有する中間層を形成しても良い。中間層は、ゼラチン等の水溶性バインダーまたは、有機可溶性バインダが使用され、シリカ、クレー、炭酸カルシウム、酸化チタン、アルミナ等の微粒子を含有しても良い。
また、受像層には、白色度を向上する機能等を付与する為に、蛍光増白剤を添加しても良い。蛍光増白剤としては、スチルベン系、クマリン系、ベンゾオキサゾリル系等を挙げることが出来る。
【００５５】
また、熱転写供与材料と受像材料との離型性を向上させる為に、受容層の表面または、層中に離型剤を含有させることが好ましい。
また、イソシアネート系、アルデヒド系、エポキシ系、ビニルスルフォン系、Ｎ−メチロール系等の硬膜剤、上記の酸化防止剤、紫外線吸収剤、界面活性剤を添加して使用出来る。この場合、剥離性、滑り性、剥離性等の改良、帯電防止の目的には、フッ素系界面活性剤を添加して使用するのが好ましい。
【００５６】
本発明においては、熱転写供与材料を受像材料と重ね合わせ、好ましくは熱転写供与材料の裏面から、加熱手段により、画像材料に応じた熱エネルギーを与えることにより、色素層中の色素を受像材料の受像層に転写することにより、画像安定性、鮮明性、解像性の優れた画像を得ることが出来る。加熱手段は、サーマルヘッドのみならず、レーザー光、赤外線、熱ペン等の公知のものを使用出来る。
【００５７】
【実施例】
以下、実施例により本願発明を更に具体的に説明するが、本願発明は以下の実施例により何等限定されるものではない。
実施例１
（１）熱転写供与材料の作成
ａ）インキの調製
ナフトキノン系色素（前記  Ｎｏ．８の色素：特開昭６０−１１２８６１号公報に記載の方法で合成した。）５ｇ、フェノキシ樹脂（製品名：ＰＫＨＪ、ＵＣＣ製）１０ｇ、トルエン−メチルエチルケトン（トルエン：メチルエチルケトン＝１：１）１００ｇをペイントコンディショナーで１０分間処理し、インキの調製を行った。
【００５８】
ｂ）熱転写供与材料の調製
上記のインキをワイヤーバーを用いて背面が耐熱滑性処理された６μｍ厚のポリエチレンテレフタレートフィルム上に乾燥後の膜厚が１．０μｍになるように塗布し、乾燥して熱転写供与材料を得た。なお、耐熱滑性処理はポリエチレンテレフタレートフィルムにポリカーボネート樹脂８重量部、リン酸エステル系界面活性剤１重量部（商品名：プライサーフＡ−２０８Ｂ：第一工業製薬株式会社製）、トルエン９１重量部からなる液を乾燥後の膜厚が０．５μｍになる様に塗布し、乾燥することにより行った。
【００５９】
（２）受像材料の作成
塩酢ビ樹脂（塩化ビニル−酢酸ビニル共重合体の部分加水分解物であって、ビニルアルコールの含有量が５重量％の樹脂、１０部、シリコーン樹脂（製品名：Ｌ−７００２、日本ユニカー（株）製）０．６ｇ、トルエン４０ｍｌ、メチルエチルケトン４０ｍｌからなる液を合成紙（製品名：コポＦＰＧ１５０、王子油化（株）製）にワイヤーバーで、乾燥後の膜厚が５μｍになるように塗布、オーブンで１００℃で３０分間加熱処理して乾燥して受像材料を作成した。
【００６０】
（３）熱転写
上記のようにして調製した熱転写供与材料と受像材料とを、色素層と受像層が接する様に重ね合わせ、熱転写供与材料の支持体側からサーマルヘッドでサーマルヘッドの出力０．２５Ｗ／ドットの記録電力、８ドット／ｍｍのドット密度、１０ｍｓｅｃのヘッド加熱のパルス巾の条件で熱印加を行い、受像層に色素を熱転写した。得られた画像を受像材料の受像層のない支持体面に密着させ、４０℃、湿度８０％の恒温、恒湿槽中に５日間保存した後、色素の受像材料の支持体面への色移りを判定した。熱転写後の受像槽上での記録濃度が米国マクベス社製、デンシトメーターＴＲ−９２７で測定して、１．００付近の濃度の画像を使用して前記の色移り試験を実施し、試験後の受像材料の支持体面の色移りの程度を前記と同様に測定し、その比を使用して色移りの程度を判定した。その結果、本実施例の色移り後の濃度（ＯＤ2 ）／色移り前の画像濃度（ＯＤ1 ）は、０．０であり、ほとんど色移りがなく良好であった。結果を表−１に示す。
【００６１】
実施例２〜６
実施例１のＮＯ．１の色素の代わりに、それぞれ前述の色素ＮＯ．１６、ＮＯ．２４、ＮＯ．２５、ＮＯ．２９、ＮＯ．４０の色素を使用し、同様にして処理して、色移り試験を実施したところ、実施例１と同様に、ほとんど色移りがなく良好であった。結果を表−１に示す。
【００６２】
比較例１〜３
実施例１のＮＯ．１の色素の代わりに、それぞれ以下の構造式で示されるＮＯ．４９、ＮＯ．５０、ＮＯ．５１、ＮＯ．５２、ＮＯ．５３、ＮＯ．５４の色素を使用し、同様にして処理して、色移り試験を実施したところ、ＯＤ2 ／ＯＤ1 は、大きく、色移りあり不良であった。結果を表−１に示す。
【００６３】
【表１】
0003637668.tif 000025
【００６４】
【化２５】
0003637668.tif 000026
【００６５】
【発明の効果】
本発明の熱転写材料を使用した場合、接触物への色移りがなく、画像の先鋭度が良好である等の保存性の良好な熱転写画像を得ることが出来る。